(57)【要約】【課題】記録される容量を削減することができるデジタル放送受信機、及びデジタル放送記録方法を提供することを目的としている。【解決手段】放送信号を受信する受信部と、受信部が受信した放送信号からデータ放送のデータストリームを抽出するデータ抽出部と、データ放送に関連付けられている付加データである通信コンテンツが記録装置に記録済みであるか否かを判別する通信データ制御部と、を備える。【選択図】図１
2013121120.tif 000002
【特許請求の範囲】
【請求項１】
放送信号を受信する受信部と、
前記受信部が受信した放送信号からデータ放送のデータストリームを抽出するデータ抽出部と、
前記データ放送に関連付けられている付加データである通信コンテンツが記録装置に記録済みであるか否かを判別する通信データ制御部と、
を備えることを特徴とするデジタル放送受信機。
【請求項２】
前記受信部が受信した放送信号から、自番組の番組固有の識別子である番組ＩＤを生成し、生成した前記番組ＩＤと前記放送信号とを関連付けて前記記録装置に記録する記録制御部と、
前記通信データ制御部は、
前記放送信号から抽出した前記通信コンテンツを示す情報、前記番組固有の識別子、及び放送日時を用いて前記通信コンテンツが記録装置に記録済みであるか否かを判別する
ことを特徴とする請求項１に記載のデジタル放送受信機。
【請求項３】
前記通信コンテンツを示す情報は、
前記通信コンテンツのデータの大きさ、作成日、前記通信コンテンツが格納されているアドレスのうち少なくとも１つの情報である
ことを特徴とする請求項１または請求項２に記載のデジタル放送受信機。
【請求項４】
前記通信コンテンツが前記記録装置に未記録の場合、前記通信コンテンツを通信経由で取得する通信データ取得部と、
前記通信データ取得部が取得した前記通信コンテンツと、前記通信コンテンツを識別する情報とを関連付けて前記記録装置に記録する通信データ記録制御部と、
を備えることを特徴とする請求項１から請求項３のいずれか１項に記載のデジタル放送受信機。
【請求項５】
前記通信コンテンツに含まれるデータを合成した画像データを生成するデータ放送処理部
を備え、
前記通信データ制御部は、
前記放送信号を前記記録装置から読み出して再生する場合、読み出した前記放送信号から自番組に関する情報と前記通信コンテンツに関する情報とを抽出し、抽出した前記自番組に関する情報と前記通信コンテンツに関する情報とに基づいて、前記記録装置に記録されている前記通信コンテンツを読み出して、前記データ放送処理部に出力する
ことを特徴とする請求項１から請求項４のいずれか１項に記載のデジタル放送受信機。
【請求項６】
前記通信データ制御部は、
前記放送信号を削除する場合、前記放送信号と関連付けられている前記通信コンテンツの内、抽出した自番組以外の他の番組と関連付けられている前記通信コンテンツがあるか否かを判別し、他の番組と関連付けられている前記通信コンテンツは前記記録装置から削除せず、他の番組と関連付けられていない前記通信コンテンツを前記記録装置から削除する
ことを特徴とする請求項４または請求項５に記載のデジタル放送受信機。
【請求項７】
デジタル放送受信機におけるデジタル放送記録方法であって、
受信部が、放送信号を受信する受信手順と、
データ抽出部が、前記受信手順が受信した放送信号からデータ放送のデータストリームを抽出するデータ抽出手順と、
通信データ制御部が、前記データ放送に関連付けられている付加データである通信コンテンツが記録装置に記録済みであるか否かを判別する通信データ制御手順と、
を含むことを特徴とするデジタル放送記録方法。
【発明の詳細な説明】
【技術分野】
【０００１】
本発明は、デジタル放送受信機、及びデジタル放送記録方法に関する。
【背景技術】
【０００２】
近年、地上波デジタル放送において、データ放送も行われている場合もある。データ放送には、連動データ放送と独立データ放送がある。連動データ放送では、例えば番組に連動したシーンガイド、解説等の情報が放送されている。また、連動データ放送は、テレビ放送と同時に送られてくる。独立データ放送では、ニュース、株式市況、気象情報などの情報が放送されている。
データ放送である連動データのみを、音声信号と映像信号と合わせて録画できるレコーダもある。
【０００３】
また、データ放送は、ＡＲＩＢ（社団法人電波産業会）により策定されているＢＭＬ（放送用マークアップ言語）で記述されている。このＢＭＬの中には、付加情報（音声、静止画、動画等）のｕｒｌ（統一資源位置指定子）が含まれている。このようなデータ放送のコンテンツを視聴する場合、ｕｒｌで記述されているコンテンツを格納しているサーバから通信経由でコンテンツを取得し、取得したコンテンツを視聴者は、視聴していた。
【０００４】
このようにコンテンツを通信経由で取得するタイプのデータ放送を含めた番組をレコーダに録画した場合、録画後にデータ放送のコンテンツを見ようとしても、コンテンツがすでに削除されていたり、リンクが切れていたりする場合もある。このため、デジタル放送受信機は、放送及び通信経由で取得したコンテンツを番組情報と合わせて記録することが提案されている（例えば、特許文献１参照）。
【先行技術文献】
【特許文献】
【０００５】
【特許文献１】特開２００５−３１１７６０号公報
【発明の概要】
【発明が解決しようとする課題】
【０００６】
しかしながら、特許文献１に記載の技術では、データ放送を記録するとデジタル放送受信機に記録される容量が大きくなってしまうという課題があった。
【０００７】
本発明は、上記の問題点に鑑みてなされたものであって、記録される容量を削減することができるデジタル放送受信機、及びデジタル放送記録方法を提供することを目的としている。
【課題を解決するための手段】
【０００８】
上記目的を達成するため、本発明の一態様に係るデジタル放送受信機は、放送信号を受信する受信部と、前記受信部が受信した放送信号からデータ放送のデータストリームを抽出するデータ抽出部と、前記データ放送に関連付けられている付加データである通信コンテンツが記録装置に記録済みであるか否かを判別する通信データ制御部と、を備えることを特徴としている。
【０００９】
上記目的を達成するため、本発明の一態様に係るデジタル放送記録方法は、デジタル放送受信機におけるデジタル放送記録方法であって、受信部が、放送信号を受信する受信手順と、
データ抽出部が、前記受信手順が受信した放送信号からデータ放送のデータストリームを抽出するデータ抽出手順と、通信データ制御部が、前記データ放送に関連付けられている付加データである通信コンテンツが記録装置に記録済みであるか否かを判別する通信データ制御手順と、を含むことを特徴としている。
【発明の効果】
【００１０】
本発明においては、データ放送で送信されたデータストリーム中に通信サーバ経由で取得する付加データである通信コンテンツがすでに記録装置に記録されているか否かを判別し、記録されていない場合のみ記録装置に記録するようにした。この結果、記録装置に記録される容量を削減することができる。
【図面の簡単な説明】
【００１１】
【図１】本実施形態に係るデジタル放送受信機１の概略構成図である。
【図２】本実施形態に係る記録装置１４に記録されている情報を説明する図である。
【図３】本実施形態に係る通信コンテンツと関連付けられて記録されている情報を説明する図である。
【図４】データ放送の送信、データの構成、及び再生画像の一例を説明する図である。
【図５】ＢＭＬ文書１１２の一例を説明する図である。
【図６】本実施形態に係る信号記録時のフローチャートである。
【図７】本実施形態に係る信号再生時のフローチャートである。
【発明を実施するための形態】
【００１２】
まず、本発明の概要を説明する。
本実施形態のデジタル放送受信機は、録画時、データ放送で送信されたストリーム中に通信サーバ経由で取得するデータがすでに記録装置に記録されているか否かを判別し、すでに記録装置に記録されていない場合のみ、通信サーバ経由で取得するデータを記録装置に記録する。
本実施形態のデジタル放送受信機は、再生時、記録装置に記録されている通信コンテンツを読み出して再生する。
【００１３】
以下、図面を用いて、本発明の実施形態について説明する。
図１は、本実施形態に係るデジタル放送受信機１の概略構成図である。図１に示すように、デジタル放送受信機１は、チューナ／復調部１１、ＴＳデコード部１２、ＴＳ記録制御部１３、記録装置１４、Ａｕｄｉｏデコード部１５、Ａｕｄｉｏ再生部１６、Ｖｉｄｅｏデコード部１７、データ放送処理部１８、画像表示部１９、通信データ制御部２０、通信データ記録制御部２１、通信データ取得部２２、及び再生制御部２３を備えている。
【００１４】
チューナ／復調部１１（受信部）は、アンテナ（図示せず）を介して受信した信号（放送信号）を復調し、復調したＴＳ（トランスポートストリーム）信号を、ＴＳデコード部１２、及びＴＳ記録制御部１３に出力する。
【００１５】
ＴＳデコード部１２（データ抽出部）は、チューナ／復調部１１または再生制御部２３が出力したＴＳ信号をデコードして音声ストリーム、映像ストリーム、及びデータストリームを抽出する。ＴＳデコード部１２は、抽出した音声ストリームをＡｕｄｉｏデコード部１５に出力する。ＴＳデコード部１２は、抽出した映像ストリームをＶｉｄｅｏデコード部１７に出力する。ＴＳデコード部１２は、抽出したデータストリームをデータ放送処理部１８に出力する。
【００１６】
ＴＳ記録制御部１３（記録制御部）は、チューナ／復調部１１が出力したＴＳ信号から、番組のサービスＩＤ情報を抽出し、抽出した番組のサービスＩＤ情報と放送日時を用いて、番組固有のＩＤ（以下、番組ＩＤという）を生成する。具体的には、例えば、番組ＩＤは、ＴＳ信号のヘッダに含まれているサービスＩＤに放送日時を組み合わせた識別子である。また、サービスＩＤとは、各放送局に割り当てられている放送サービスを示す識別子である。ＴＳ記録制御部１３は、生成した番組ＩＤとＴＳ信号とを関連付けて記録装置１４に記録する。
【００１７】
記録装置１４には、番組ＩＤと、ＴＳ信号と、通信コンテンツＩＤとが関連付けて記録されている。また、記録装置１４には、通信コンテンツと、通信コンテンツＩＤと、通信コンテンツに関する情報とが関連付けられて記録されている。通信コンテンツに関する情報とは、例えば、通信コンテンツのサイズ、作成された日付、番組の要約などである。
【００１８】
Ａｕｄｉｏデコード部１５は、ＴＳデコード部１２が出力した音声ストリームをデコードし、デコードした音声データをＡｕｄｉｏ再生部１６に出力する。
Ａｕｄｉｏ再生部１６は、Ａｕｄｉｏデコード部１５が出力した音声データを音声信号に変換し、変換した音声信号を再生する。
Ｖｉｄｅｏデコード部１７は、ＴＳデコード部１２が出力した映像ストリームをデコードし、デコードした画像データを画像表示部１９に出力する。
【００１９】
データ放送処理部１８は、ＴＳデコード部１２が出力したデータストリームからＢＭＬ文書を抽出する。データ放送処理部１８は、抽出したＢＭＬ文書に記述されている内容に従って、表示画像データを作成し、作成した表示画像データを画像表示部１９に出力する。ＢＭＬ文書に通信コンテンツに関する情報が記述されている場合、データ放送処理部１８は、記述されている通信コンテンツを読み出すように、通信データ制御部２０に指示を出力する。
また、データ放送処理部１８は、通信コンテンツを読み出すために必要な情報である番組ＩＤ、サービスＩＤ、ｕｒｌ、及び放送日時等を通信データ制御部２０に出力する。
【００２０】
画像表示部１９は、Ｖｉｄｅｏデコード部１７が出力した画像データと、データ放送処理部１８が出力した表示画像データとを合成し、合成した表示画像データを画像信号に変換する。画像表示部１９は、変換した画像信号の画像を表示する。
【００２１】
通信データ制御部２０は、データ放送処理部１８が出力したＢＭＬ文書の中のアンカー要素や文書遷移拡張関数に記述されたＵＲＩ（統一資源識別子）のスキームが「ｈｔｔｐ」または「ｈｔｔｐｓ」であるか否かを判別する。なお、文書遷移拡張関数とは、ＢＭＬ文書における「ｈｒｅｆ」などの関数である。ＵＲＩのスキームが「ｈｔｔｐ」または「ｈｔｔｐｓ」である場合、通信コンテンツを通信サーバからネットワーク経由で取得する必要があることを意味している。ＵＲＩのスキームが「ｈｔｔｐ」または「ｈｔｔｐｓ」である場合、通信データ制御部２０は、通信コンテンツがすでに記録装置１４に記録済みであるか否かを通信データ記録制御部２１に問い合わせる。この問い合わせのとき、通信データ制御部２０は、サービスＩＤ、放送日時、通信コンテンツが格納されている通信サーバのアドレスｕｒｌ、及び番組に関する情報を通信データ記録制御部２１に出力する。
【００２２】
通信データ制御部２０は、録画しようとしているデータストリーム中のコンテンツがすでに記録装置１４に記録されている場合、通信コンテンツを通信サーバ経由で取得せず、記録装置１４から読み出す指示を通信データ記録制御部２１に出力する。通信データ制御部２０は、通信コンテンツＩＤを、現在、記録装置１４に録画している番組の番組ＩＤと関連付けて記録装置１４に記録するように通信データ記録制御部２１に指示を出力する。
通信データ制御部２０は、録画しようとしているデータストリーム中の通信コンテンツがすでに記録装置１４に記録されている場合、通信コンテンツＩＤを、現在、記録装置１４に録画している番組の番組ＩＤと関連付けて記録装置１４に記録するように通信データ記録制御部２１に指示を出力する。
【００２３】
記録装置１４に記録されている番組の再生時、通信データ制御部２０は、データ放送処理部１８からの指示に応じて、記録装置１４に記録されている通信コンテンツを、通信データ記録制御部２１を介して読み出す。通信データ制御部２０は、読み出した通信コンテンツをデータ放送処理部１８に出力する。なお、通信データ制御部２０、及び通信データ記録制御部２１は、番組ＩＤ、サービスＩＤ、ｕｒｌ、放送日時等の情報を用いて、記録装置１４に記録されている通信コンテンツを探し、探した通信コンテンツを読み出す。
【００２４】
通信データ記録制御部２１は、通信データ制御部２０が出力した問い合わせに応じて、記録装置１４に通信コンテンツが記録済みか否かを確認する。通信データ記録制御部２１は、確認した結果を通信データ制御部２０に出力する。
デジタル放送受信機１が、録画しようとしているデータストリーム中の通信コンテンツがすでに記録装置１４に記録されている場合、通信データ記録制御部２１は、通信データ制御部２０が出力した指示に応じて、現在、記録装置１４に録画している番組のＴＳ信号と番組ＩＤとを関連付けて記録装置１４に記録する。
通信コンテンツが記録装置１４に記録されていない場合、通信データ記録制御部２１は、通信データ取得部２２にコンテンツを取得させる指示を出力する。この場合、通信データ記録制御部２１は、通信コンテンツＩＤを生成する。なお、通信コンテンツＩＤは、「サービスＩＤ」、「ｕｒｌ」、「通し番号」を組み合わせたものである。通信データ記録制御部２１は、生成した通信コンテンツＩＤと、通信データ取得部２２が取得した通信コンテンツとを関連付けて記録装置１４に記録させる。
【００２５】
通信データ取得部２２は、通信データ記録制御部２１が出力する通信コンテンツの取得指示に応じて通信コンテンツを放送局が運営する通信サーバから、ネットワーク経由で取得する。通信データ取得部２２は、取得した通信コンテンツを通信データ記録制御部２１に出力する。
【００２６】
再生制御部２３は、利用者からの指示に応じて、記録装置１４に記録されている番組の中から所望の番組のＴＳ信号を読み出し、読み出したＴＳ信号をＴＳデコード部１２に出力する。
【００２７】
図２は、本実施形態に係る記録装置１４に記録されている情報を説明する図である。
記録装置１４には、図２に示すように、番組ＩＤ、ＴＳ信号、及び通信コンテンツＩＤが関連付けられて記録されている。図２の２行目の例では、番組ＩＤである番組ＩＤ−１、ＴＳ信号であるＴＳ１、通信コンテンツＩＤである通信コンテンツＩＤ１、通信コンテンツＩＤ２、・・・が関連付けて記録されている。図２の３行目の例では、番組ＩＤである番組ＩＤ−２、ＴＳ信号であるＴＳ２、通信コンテンツＩＤである通信コンテンツＩＤ１１、通信コンテンツＩＤ１２、・・・が関連付けて記録されている。図２の４行目の例では、番組ＩＤである番組ＩＤ−３、ＴＳ信号であるＴＳ３、通信コンテンツＩＤである通信コンテンツＩＤ１、通信コンテンツＩＤ２、・・・が関連付けて記録されている。すなわち、図２に示した例では、番組ＩＤ−１と番組ＩＤ−２では、通信コンテンツＩＤ１及び通信コンテンツＩＤ２が同じであることを表している。
【００２８】
図３は、本実施形態に係る通信コンテンツと関連付けられて記録されている情報を説明する図である。
記録装置１４には、図３に示すように、通信コンテンツＩＤ、通信コンテンツのデータ、通信コンテンツのサイズ、通信コンテンツが作成された日付、番組の要約が関連付けられて記憶されている。図３の１行目の例では、通信コンテンツＩＤは「ＡＡＡ−２０１００５１４２２００−ｅｖｎｔ＿ｉｄ−ｕｒｌ」である。この例の通信コンテンツＩＤのうち「ＡＡＡ」は、放送局名を表している。「２０１００５１４２２００」は、放送日時を表し、この場合、２０１０年０５月１４日２２時００分を表している。「ｅｖｎｔ＿ｉｄ」は、この通信コンテンツに対して記述されているＢＭＬ文書から抽出したイベント識別子の番号である。「ｕｒｌ」は、この通信コンテンツを取得したサーバのアドレスである。具体的には、例えば、「ｈｔｔｐ：／／ｗｗｗ．ａｘｙ．ｃｏｍ／ａｌｉｃｅ．ｊｐｇ」である。
通信コンテンツのデータは、例えば、静止画データ、動画データ、音声データ、及び文字データである。
また、通信コンテンツのサイズ、通信コンテンツが作成された日付、及び番組の要約は、ＴＳ信号のヘッダか読み出して抽出した情報である。
【００２９】
次に、デジタル放送受信機１が受信する放送信号のデータについて説明する。
放送局から受信し、復調したＴＳ信号には、符号化された映像信号、符号化された音声信号、及び符号化されたデータが含まれている。
このＴＳ信号の先頭には、ヘッダ（拡張ヘッダを含む）が付加されている。このヘッダは、受信したコンテンツに関する情報を含んでいる。コンテンツに関する情報とは、例えば、番組の放送日時、コンテンツの概要、及びコンテンツの容量等である。
【００３０】
図４は、データ放送の送信、データの構成、及び再生画像の一例を説明する図である。
図４は、デジタル放送受信機１は、ファイル（ｆｉｌｅ１）１０１を取得し、取得したファイル（ｆｉｌｅ１）１０１の画像に基づき合成した画像１２０を画像表示部１９に表示した例である。
図４において、符号１００は、放送局から送出された信号の内、データ放送におけるデータの集合を模式的に表している。データ１００は、カルーセル方式で送出されている。すなわち、ｎ個データを含むグループ１のデータが繰り返し送出されている。グループ１には、ファイル（ｆｉｌｅ１）１０１、ファイル（ｆｉｌｅ２）１０２、ファイル（ｆｉｌｅ３）１０３が含まれている。また、グループ１のデータは、ファイル（ｆｉｌｅ１）１０１、ファイル（ｆｉｌｅ２）１０２、ファイル（ｆｉｌｅ３）１０３が、この順番に送出される。
ファイル（ｆｉｌｅ１）１０１には、各種のモノメディア１１１、及びＢＭＬ文書１１２を含んでいる。各種のモノメディア１１１とは、例えば、動画データ、静止画データ、文字データ、図形データ等である。また、ＢＭＬ文書とは、ＡＲＩＢ（社団法人電波産業会）により策定されたＸＭＬ（拡張可能なマーク付け言語）ベースのデータ放送向けの記述言語で記述された文書である。
画像１２０は、ＢＭＬ文書１１２の記述に基づいて、動画データ１２１、静止画データ１２２、文字図形データ１２３、及び字幕データ１２４をデジタル放送受信機１が所定の位置に配置し、配置した画面が合成された画像である。
【００３１】
次に、ＢＭＬ文書１１２について説明する。
図５は、ＢＭＬ文書１１２の一例を説明する図である。
図５において、符号２０１で示した範囲の記述は、文書の種類、ＢＭＬのバージョン番号などを表している。
符号２０２で示した範囲の記述は、静止画データ（ｓｈａｓｈｉｎ１．ｊｐｇ）を表示させる記述である。記述２０２において、静止画データ（ｓｈａｓｈｉｎ１．ｊｐｇ）は、データ放送で送信されたデータストリーム中のモノメディアに含まれているデータである。
符号２０３で示した範囲の記述は、静止画データ（ａｌｉｃｅ１．ｊｐｇ）を表示させる記述である。記述２０３において、静止画データ（ａｌｉｃｅ１．ｊｐｇ）は、通信サーバ経由で取得するデータである。記述２０３において、符号２１１は、この通信コンテンツの固有識別子（以下、「通信コンテンツＩＤ」という）である。また、符号２１２は、関数（アンカーともいう）であり、参照先があることを意味している。符号２１３は、静止画データ（ａｌｉｃｅ１．ｊｐｇ）が格納されている外部のサーバのアドレスを表している。
【００３２】
次に、デジタル放送受信機１が信号を記録する手順の一例を、説明する。
図６は、本実施形態に係る信号記録時のフローチャートである。
【００３３】
（ステップＳ１）デジタル放送受信機１は、利用者により選択されたチャンネルの番組の受信を開始する。ステップＳ１終了後、ステップＳ２に進む。
（ステップＳ２）デジタル放送受信機１は、利用者がリモコン（図示せず）等の操作により番組の録画開始の指示が行われた場合、番組の録画を開始する。ステップＳ２終了後、ステップＳ３に進む。
【００３４】
（ステップＳ３）デジタル放送受信機１のチューナ／復調部１１は、受信した信号を復調し、復調したＴＳ信号を、ＴＳデコード部１２、及びＴＳ記録制御部１３に出力する。ステップＳ３終了後、ステップＳ４に進む。
【００３５】
（ステップＳ４）ＴＳ記録制御部１３は、チューナ／復調部１１が出力したＴＳ信号から、番組のサービスＩＤ情報を抽出し、抽出した番組のサービスＩＤ情報と放送日時とを用いて、番組ＩＤを生成する。
次に、ＴＳ記録制御部１３は、生成した番組ＩＤとＴＳ信号とを関連付けて記録装置１４に記録する。ステップＳ４終了後、ステップＳ５に進む。
【００３６】
（ステップＳ５）ＴＳデコード部１２は、チューナ／復調部１１が出力したＴＳ信号をデコードして音声ストリーム、映像ストリーム、及びデータストリームを抽出する。次に、ＴＳデコード部１２は、抽出した音声ストリームをＡｕｄｉｏデコード部１５に出力し、抽出した映像ストリームをＶｉｄｅｏデコード部１７に出力し、抽出したデータストリームをデータ放送処理部１８に出力する。ステップＳ５終了後、ステップＳ６に進む。
【００３７】
（ステップＳ６）データ放送処理部１８は、ＴＳデコード部１２が出力したデータストリームからＢＭＬ文書を抽出する。
次に、データ放送処理部１８は、抽出したＢＭＬ文書に記述されている内容に従って、表示画像データを作成する。次に、データ放送処理部１８は、抽出したＢＭＬ文書を通信データ制御部２０に出力する。次に、データ放送処理部１８は、ヘッダから番組に関する情報（番組の要約等）を抽出し、抽出した番組に関する情報を通信データ制御部２０に出力する。ステップＳ６終了後、ステップＳ７に進む。
【００３８】
（ステップＳ７）通信データ制御部２０は、データ放送処理部１８が出力したＢＭＬ文書の中のアンカー要素や文書遷移拡張関数に記述されたＵＲＩのスキームが「ｈｔｔｐ」または「ｈｔｔｐｓ」であるか否かを判別する。
ＵＲＩのスキームが「ｈｔｔｐ」または「ｈｔｔｐｓ」である場合（ステップＳ７；Ｙｅｓ）、ステップＳ８に進む。ＵＲＩのスキームが「ｈｔｔｐ」または「ｈｔｔｐｓ」ではない場合（ステップＳ７；Ｎｏ）、利用者から録画解除の指示があるまで、ステップＳ３からステップＳ７を繰り返す。
【００３９】
（ステップＳ８）ＵＲＩのスキームが「ｈｔｔｐ」または「ｈｔｔｐｓ」である場合、通信データ制御部２０は、通信コンテンツがすでに記録装置１４に記録済みか否かを通信データ記録制御部２１に問い合わせる。この場合、通信データ制御部２０は、サービスＩＤ、放送日時、通信コンテンツが置かれている通信サーバのアドレスｕｒｌ、及び番組に関する情報を通信データ記録制御部２１に出力して問い合わせる。
次に、通信データ記録制御部２１は、通信データ制御部２０が出力した問い合わせに応じて、記録装置１４に通信コンテンツが記録済みか否かを確認する。このとき、通信データ記録制御部２１は、通信データ制御部２０が出力したサービスＩＤ、放送日時、通信コンテンツが格納されている通信サーバのアドレスｕｒｌ、及び番組に関する情報を用いて、通信コンテンツが記録装置１４に通信コンテンツが記録済みか否かを確認する。
次に、通信データ記録制御部２１は、確認した結果を通信データ制御部２０に出力する。確認した結果、通信コンテンツが記録済みの場合（ステップＳ８；Ｙｅｓ）、ステップＳ９に進む。確認した結果、通信コンテンツが記録済みではない場合（ステップＳ８；Ｎｏ）、ステップＳ１０に進む。
【００４０】
（ステップＳ９）通信データ制御部２０は、デジタル放送受信機１が録画しようとしているデータストリーム中のコンテンツがすでに記録装置１４に記録されている場合、通信コンテンツを通信サーバ経由で取得せず、記録装置１４から読み出す指示を通信データ記録制御部２１に出力する。
次に、通信データ制御部２０は、通信コンテンツＩＤを、現在、記録装置１４に録画している番組のＴＳ信号と番組ＩＤとを関連付けて記録装置１４に記録するように通信データ記録制御部２１に指示を出力する。
次に、通信データ記録制御部２１は、通信データ制御部２０が出力した指示に応じて、現在、記録装置１４に録画している番組のＴＳ信号と番組ＩＤとを関連付けて記録装置１４に記録する。
ステップＳ９終了後、ステップＳ３に戻る。
【００４１】
（ステップＳ１０）通信データ記録制御部２１は、通信コンテンツが記録装置１４に記録されていないため、通信データ取得部２２にコンテンツを取得させる指示を出力する。
次に、通信データ記録制御部２１は、通信コンテンツＩＤを生成する。
次に、通信データ取得部２２は、ＵＲＩで指定された通信コンテンツを、放送局が運営する通信サーバから取得し、取得した通信コンテンツを通信データ記録制御部２１に出力する。
次に、通信データ記録制御部２１は、生成した通信コンテンツＩＤと、通信データ取得部２２が取得した通信コンテンツとを関連付けて記録装置１４に記録させる。ステップＳ１０終了後、ステップＳ３に戻る。
利用者から、録画終了の指示があるまで、ステップＳ３からＳ１０を繰り返す。
【００４２】
次に、デジタル放送受信機１が記録装置１４に記録されているＴＳ信号を再生する手順の一例を説明する。
図７は、本実施形態に係る信号再生時のフローチャートである。
【００４３】
（ステップＳ１０１）利用者は、デジタル放送受信機１のリモコンを使って、録画されている番組の中から再生したい番組を選択する。ステップＳ１０１終了後、ステップＳ１０２に進む。
（ステップＳ１０２）デジタル放送受信機１録画された番組の再生を開始する。再生制御部２３は、選択された番組のＴＳ信号を記録装置１４から読み出し、読み出したＴＳ信号をＴＳデコード部１２に出力する。ステップＳ１０２終了後、ステップＳ１０３に進む。
【００４４】
（ステップＳ１０３）ＴＳデコード部１２は、再生制御部２３が出力したＴＳ信号をデコードして音声ストリーム、映像ストリーム、及びデータストリームを抽出する。次に、ＴＳデコード部１２は、抽出した音声ストリームをＡｕｄｉｏデコード部１５に出力し、抽出した映像ストリームをＶｉｄｅｏデコード部１７に出力し、抽出したデータストリームをデータ放送処理部１８に出力する。ステップＳ１０３終了後、ステップＳ１０４に進む。
【００４５】
（ステップＳ１０４）データ放送処理部１８は、ＴＳデコード部１２が出力したデータストリームからＢＭＬ文書を抽出し、抽出したＢＭＬ文書を通信データ制御部２０に出力する。
次に、データ放送処理部１８は、抽出したＢＭＬ文書に記述されている内容に従って、表示画像データを作成する。ステップＳ１０４終了後、ステップＳ１０５に進む。
【００４６】
（ステップＳ１０５）通信データ制御部２０は、データ放送処理部１８が出力したＢＭＬ文書の中のアンカー要素や文書遷移拡張関数に記述されたＵＲＩのスキームが「ｈｔｔｐ」または「ｈｔｔｐｓ」であるか否かを判別する。
ＵＲＩのスキームが「ｈｔｔｐ」または「ｈｔｔｐｓ」ではない場合（ステップＳ１０５；Ｎｏ）、ステップＳ１０３に戻る。ＵＲＩのスキームが「ｈｔｔｐ」または「ｈｔｔｐｓ」である場合（ステップＳ１０５；Ｙｅｓ）、ステップＳ１０６に進む。
【００４７】
（ステップＳ１０６）ＵＲＩのスキームが「ｈｔｔｐ」または「ｈｔｔｐｓ」である場合、データ放送処理部１８は、記述されている通信コンテンツを読み出すように、通信データ制御部２０に指示する。また、データ放送処理部１８は、通信コンテンツを読み出すために必要な情報である番組ＩＤ、サービスＩＤ、ｕｒｌ、及び放送日時等を通信データ制御部２０に出力する。
次に、通信データ制御部２０は、データ放送処理部１８からの指示に応じて通信データ記録制御部２１を介して、記録装置１４に記録されている通信コンテンツを読み出す。次に、通信データ制御部２０は、読み出した通信コンテンツをデータ放送処理部１８に出力する。なお、通信データ制御部２０、通信データ記録制御部２１は、番組ＩＤ、サービスＩＤ、ｕｒｌ、及び放送日時等の情報を用いて、記録装置１４に記録されている通信コンテンツを探して読み出す。
ステップＳ１０６終了後、ステップS１０７に進む。
【００４８】
（ステップＳ１０７）再生制御部２３は、読み出された通信コンテンツを再生するように制御する。ステップS１０７終了後、ステップＳ１０３に戻る。
以上で、再生処理を終了する。
【００４９】
以上のように、本実施形態に係るデジタル放送受信機１は、番組のＴＳ信号の記録時、同じ通信コンテンツがすでに記録装置１４に記録されているか確認する。そして、通信コンテンツが記録済みの場合、デジタル放送受信機１は、記録中の番組ＩＤと通信コンテンツＩＤを関連付けて記録装置１４に記憶させるようにした。また、通信コンテンツが記録装置１４に記録されていない場合、デジタル放送受信機１は、通信サーバからコンテンツを取得して、取得した通信コンテンツを記録装置１４に新たに生成した通信コンテンツＩＤと関連付けて記録するようにした。この結果、本実施形態によれば、通信コンテンツを記録装置１４に記録する場合、同じ通信コンテンツか否かを判別して、同じ通信コンテンツの場合、記録しないようにしたので、記録容量を削減できる。
【００５０】
記録装置１４に記録されている番組のＴＳ信号の再生時、デジタル放送受信機１は、通信コンテンツを通信サーバ経由で取得するのではなく、記録装置１４から読み出して再生するようにした。この場合、再生している番組のＩＤと関連付けられて記録されている通信コンテンツＩＤに含まれているサービスＩＤ、番組ＩＤ、ｕｒｌ、及び放送日時等の情報と、再生中のＴＳ信号及びＢＭＬ文書の中から抽出したサービスＩＤ、番組ＩＤ、ｕｒｌ、及び放送日時等の情報とを照らし合わせて、所望の通信コンテンツを記録装置１４から読み出す。この結果、本実施形態によれば、記録した番組の再生時、通信コンテンツも記録装置１４に記録してあるので、通信サーバから通信コンテンツが削除されていたり、アドレスが変更になっていたりしても、利用者は、記録した番組の通信コンテンツも再生することができる。
【００５１】
なお、本実施形態では、再生時に通信コンテンツを読み出すために、データ放送処理部１８が番組ＩＤ、サービスＩＤ、ｕｒｌ、放送日時等を抽出する例を示したが、通信データ制御部２０が抽出するようにしてもよい。また、再生制御部２３が、記録装置１４から再生する番組のＴＳ信号を読み出すとき、読み出した番組のＴＳ信号と番組ＩＤとが関連付けて記録されている通信コンテンツＩＤをデータ放送処理部１８または通信データ制御部２０に出力するようにしてもよい。この場合、データ放送処理部１８または通信データ制御部２０は、通信コンテンツＩＤ、番組ＩＤ、サービスＩＤ、ｕｒｌ、放送日時等を用いて、記録装置１４に記録されている中から所望の通信コンテンツを探して読み出すようにしてもよい。
【００５２】
なお、記録装置１４に記録されたＴＳ信号を利用者の指示に応じて削除する場合、デジタル放送受信機１の通信データ制御部２０は、削除するＴＳ信号に関連付けられている通信コンテンツの中で、他の番組とも関連付けられている通信コンテンツがあるか否かを通信データ記録制御部２１に問い合わせる。他の番組とも関連付けられている通信コンテンツが有る場合、その通信コンテンツは削除せずに残し、他の番組とも関連付けられていない通信コンテンツのみを削除する。これにより、記録装置１４に記録されるデータを削減できる。さらに、共通で通信コンテンツを使用している番組については、再生時に、記録装置１４に残されている通信コンテンツを読み出して再生することができる。
【００５３】
なお、本実施形態では、記録装置１４をデジタル放送受信機１が備える例を説明したが、記録装置１４は、デジタル放送受信機１に、例えば、ＵＳＢ（Universal Serial Bus）端子経由で接続されていてもよい。
【００５４】
なお、本実施形態では、画像表示部１９が画像表示も行う例を説明したが、画像表示部１９は合成した画像を図示しない出力端子から出力するようにしてもよい。また、本実施形態のデジタル放送受信機１は、録画機能を備えるレコーダに適用するようにしてもよい。
【符号の説明】
【００５５】
１・・・デジタル放送受信機、１１・・・チューナ／復調部、１２・・・ＴＳデコード部、１３・・・ＴＳ記録制御部、１４・・・記録装置、１５・・・Ａｕｄｉｏデコード部、１６・・・Ａｕｄｉｉｏ再生部、１７・・・Ｖｉｄｅｏデコード部、１８・・・データ放送処理部、１９・・・画像表示部、２０・・・通信データ制御部、２１・・・通信データ記録制御部、２２・・・通信データ取得部、２３・・・再生制御部
【図１】
2013121120.tif 000003
【図２】
2013121120.tif 000004
【図３】
2013121120.tif 000005
【図４】
2013121120.tif 000006
【図５】
2013121120.tif 000007
【図６】
2013121120.tif 000008
【図７】
2013121120.tif 000009